(57)【要約】【課題】部品点数を抑えつつ、垂木の先端に前枠を容易に設置できる前枠と垂木の取付構造を提供する。【解決手段】所定の間隔をあけて並設される複数の垂木５の先端に前枠１５を設置するための構造Ｃであって、前枠は、横樋として機能する前枠本体部１５ａと、前枠本体部から後方に向けて突出する突出部１５ｃと、前枠を垂木に設置した状態で前枠本体部から垂木の下面側に突出し、下方から垂木に固着される固定部１５ｂと、を備え、少なくとも前枠を垂木の先端に係合させて仮設置するための仮設置用係合部１８を備え、仮設置用係合部が、垂木に設けられた第１係止受部１７と、前枠に設けられ、前枠を垂木の先端に仮設置するとともに第１係止受部に引っ掛けて係止され、前枠を仮設置した状態で保持する第１係止部１６と、を備える。【選択図】図３
2018135753.tif 000002
【特許請求の範囲】
【請求項１】
所定の間隔をあけて並設される複数の垂木の先端に前枠を設置するための構造であって、
前記前枠は、横樋として機能する前枠本体部と、該前枠本体部から後方に向けて突出する突出部と、前記前枠を前記垂木に設置した状態で前記前枠本体部から前記垂木の下面側に突出し、下方から前記垂木に固着される固定部と、を備え、
少なくとも前記前枠を前記垂木の先端に係合させて仮設置するための仮設置用係合部を備え、
前記仮設置用係合部が、前記垂木に設けられた第１係止受部と、前記前枠に設けられ、前記前枠を前記垂木の先端に仮設置するとともに前記第１係止受部に引っ掛けて係止され、前記前枠を仮設置した状態で保持する第１係止部と、を備え、
前記第１係止部は、前記突出部から下方に折曲して形成され、
前記第１係止受部は、前記垂木の先端に、前方に突出するとともに上方に折曲して形成され、
前記前枠を前記垂木に仮設置した状態で、前記前枠本体部及び前記固定部の少なくともいずれか一方が前記垂木の先端側に当接可能に構成されていることを特徴とする前枠と垂木の取付構造。
【請求項２】
前記前枠を前記垂木に固着し、前記前枠を前記垂木の先端に係合可能な本設置用係合部を備え、
前記本設置用係合部が、前記垂木に設けられた第２係止受部と、前記前枠に設けられ、前記前枠を前記垂木の先端に本設置した状態で前記前枠の転動を規制するように前記第２係止受部に係止される第２係止部と、を備えており、
前記第２係止部は、前記突出部の先端から上方に折曲して形成され、
前記第２係止受部は、前記垂木の先端の上面側に、前方に突出するように形成されている請求項１に記載の前枠と垂木の取付構造。
【発明の詳細な説明】
【技術分野】
【０００１】
本発明は、オープンテラスなどの屋根部を構成する前枠と垂木の取付構造に関する。
【背景技術】
【０００２】
住宅や店舗などの建物の多機能化を図り、利便性、快適性を向上させることができるという大きな利点を有することから、サンルームやテラス、バルコニーなどのガーデンルームタイプの建物外部構築物や、カーポート、自転車置き場、オープンテラス、物置、通路等のサイドスルータイプの建物外部構築物を住宅などの建物本体の外部に構築（設置、増築）するケースが増大している。
【０００３】
そして、この種の建物外部構築物Ａは、例えば図１に示すように、住宅などの建物本体Ｔの外壁Ｔ１との間に所定の間隔をあけて、且つ外壁Ｔ１に沿う方向にも所定の間隔をあけて複数の支柱１を立設するとともに支柱１の上端部に接続して桁２を架設し、これら支柱１と桁２で屋根部３を支持して構成されている。
【０００４】
また、屋根部３は、建物本体Ｔの外壁Ｔ１に水平に設置される垂木掛け５と、垂木掛け５に後端を接続し、桁２に支持させて前後方向Ｓ１に延設され、且つ外壁Ｔ１に沿う横方向Ｓ２に所定の間隔をあけて並設される複数の垂木５と、垂木５に支持されて屋根面を形成する屋根パネル６とを備えて構成されている（例えば、特許文献１、特許文献２参照）。
【０００５】
さらに、屋根部３は、複数の垂木５の先端に接続して横方向Ｓ２に延設され、例えば屋根部３の先端部を形成して意匠性を確保したり、雨樋（横樋）などとして機能する前枠７を備えている。
【０００６】
そして、このような建物外部構築物Ａを構築する際には、例えば、建物本体Ｔの外壁Ｔ１に垂木掛け４を設置するとともに支柱１を立設して桁２を架設した後、両側部の垂木（妻垂木５ａ、５ｂ）５を設置し、これら妻垂木５ａ、５ｂに支持させて前枠７を取り付け、他の垂木（一対の妻垂木５ａ、５ｂの間の中間垂木）５、屋根パネル６を設置してゆく。
【０００７】
一方、前枠７を設置する際には、長尺の前枠７を取り回して妻垂木５ａ、５ｂに接続することになり、１人の作業者では前枠７が安定しにくく、この前枠７の設置作業に多大な手間と労力を要する。このため、２人の作業者で前枠７を設置する必要が生じる。
【０００８】
これに対し、特許文献１には、図１１に示すように、先端側に前後に並ぶ仮設置用係止部８と本設置用係止部９を備えた固定金具１０を用いて前枠７を設置する手法が開示されている。
【０００９】
この特許文献１においては、図１１（ａ）に示すように、予め複数の垂木５の先端にビス止めして固定金具１０を取り付けておき、各固定金具１０の先端側の仮設置用係止部８に引っ掛けて支持させ、前枠７を仮設置する。そして、図１１（ｂ）、図１１（ｃ）に示すように、前枠７を垂木５側に押し込んで固定金具１０の仮設置用係止部８から本設置用係止部９に係止させ、所定の設置位置に配設するとともに前枠７を垂木５、固定金具１０にそれぞれビス１１、１２で止めして固定してゆく。
【００１０】
このように仮設置、本設置の２段階（ビス止め作業を合わせると３段階）の操作で前枠７を設置するようにしたことで、作業者の１人作業で容易に前枠７を設置することが可能になる。これにより、特許文献１では、効率的に前枠７の設置作業、ひいては建物外部構築物Ａの施工を行うことができる。
【先行技術文献】
【特許文献】
【００１１】
【特許文献１】特開２００８−２０８６７１号公報
【特許文献２】特開平１１−２９３８３６号公報
【発明の概要】
【発明が解決しようとする課題】
【００１２】
しかしながら、特許文献１では、前後に並ぶ仮設置用係止部８と本設置用係止部９を備えた固定金具１０を別途用意し、この固定金具１０を各垂木５の先端にビス１３で止めて取り付ける作業が必要になる。また、固定金具１０をビス止めするためのビス孔を各垂木５に現場施工で穿設することもある。
このため、特許文献１は、固定金具１０やビス１１、１２、１３の部品点数が多くなり、またこれに伴い現場加工や現場での部品付けによる施工工数が多くなるという点で改善の余地が残されていた。
【００１３】
本発明は、上記事情に鑑み、部品点数を抑えつつ、垂木の先端に前枠を容易に設置できる前枠と垂木の取付構造を提供することを目的とする。
【課題を解決するための手段】
【００１４】
上記の目的を達するために、この発明は以下の手段を提供している。
【００１５】
本発明の前枠と垂木の取付構造は、所定の間隔をあけて並設される複数の垂木の先端に前枠を設置するための構造であって、前記前枠は、横樋として機能する前枠本体部と、該前枠本体部から後方に向けて突出する突出部と、前記前枠を前記垂木に設置した状態で前記前枠本体部から前記垂木の下面側に突出し、下方から前記垂木に固着される固定部と、を備え、少なくとも前記前枠を前記垂木の先端に係合させて仮設置するための仮設置用係合部を備え、前記仮設置用係合部が、前記垂木に設けられた第１係止受部と、前記前枠に設けられ、前記前枠を前記垂木の先端に仮設置するとともに前記第１係止受部に引っ掛けて係止され、前記前枠を仮設置した状態で保持する第１係止部と、を備え、前記第１係止部は、前記突出部から下方に折曲して形成され、前記第１係止受部は、前記垂木の先端に、前方に突出するとともに上方に折曲して形成され、前記前枠を前記垂木に仮設置した状態で、前記前枠本体部及び前記固定部の少なくともいずれか一方が前記垂木の先端側に当接可能に構成されていることを特徴とする。
【００１６】
また、本発明の前枠と垂木の取付構造においては、前記前枠を前記垂木に固着し、前記前枠を前記垂木の先端に係合可能な本設置用係合部を備え、前記本設置用係合部が、前記垂木に設けられた第２係止受部と、前記前枠に設けられ、前記前枠を前記垂木の先端に本設置した状態で前記前枠の転動を規制するように前記第２係止受部に係止される第２係止部と、を備えており、前記第２係止部は、前記突出部の先端から上方に折曲して形成され、前記第２係止受部は、前記垂木の先端の上面側に、前方に突出するように形成されていることが望ましい。
【発明の効果】
【００１７】
本発明の前枠と垂木の取付構造においては、仮設置用係合部によって前枠を垂木の先端に係合させて仮設置することができる。そして、この仮設置した前枠をビス止めするなどして垂木に固着し、前枠が仮設置位置から本設置位置に移るとともに本設置用係合部を係合させることができ、本設置した前枠を、垂木に固着するためのビスなどとともに本設置用係合部で強固に安定した状態で保持することが可能になる。
【００１８】
よって、本発明の前枠と垂木の取付構造によれば、従来の固定金具を用いた取付構造と比較し、固定金具を不要にしたり、ビスを少なくすることができ、部品点数や部品付けによる施工工数を減らすことができる。これにより、前枠と垂木の取付構造を備えるオープンテラスなどの建物外部構築物の施工性、経済性の向上を図ることが可能になる。
【図面の簡単な説明】
【００１９】
【図１】本発明の一実施形態に係る前枠と垂木の取付構造を備える建物外部構築物を示す斜視図である。
【図２】本発明の一実施形態に係る前枠と垂木の取付構造を備える建物外部構築物の垂木に前枠を設置する状況を示す斜視図である。
【図３】本発明の一実施形態に係る前枠と垂木の取付構造を示す図であり、前枠を持ち上げて横方向に配した状態を示す図である。
【図４】本発明の一実施形態に係る前枠と垂木の取付構造を示す図であり、前枠を垂木に仮設置した状態を示す図である。
【図５】本発明の一実施形態に係る前枠と垂木の取付構造を示す図であり、前枠を垂木に本設置した状態を示す図である。
【図６】本発明の一実施形態に係る前枠と垂木の取付構造を備える建物外部構築物の変形例を示す図である。
【図７】本発明の一実施形態に係る前枠と垂木の取付構造の変更例を示す図であり、前枠を持ち上げて横方向に配した状態を示す図である。
【図８】本発明の一実施形態に係る前枠と垂木の取付構造の変更例を示す図であり、前枠を垂木に仮設置した状態を示す図である。
【図９】本発明の一実施形態に係る前枠と垂木の取付構造の変更例を示す図であり、前枠を垂木に本設置した状態を示す図である。
【図１０】本発明の一実施形態に係る前枠と垂木の取付構造の変更例を示す図である。
【図１１】従来の前枠と垂木の取付構造、前枠と垂木の取付方法を示す図である。
【発明を実施するための形態】
【００２０】
以下、図１から図５を参照し、本発明の一実施形態に係る前枠と垂木の取付構造について説明する。ここで、本実施形態は、オープンテラスなどの建物外部構築物の屋根部を構成する垂木の先端に前枠を取り付けるための構造に関するものである。
【００２１】
まず、本実施形態の建物外部構築物Ｂは、例えば、オープンテラスやカーポートなどであり、図１に示すように、住宅や店舗などの建物本体Ｔの外壁Ｔ１との間に所定の間隔をあけて、且つ外壁Ｔ１に沿う横方向Ｓ２にも所定の間隔をあけて立設される複数の支柱１と、複数の支柱１の上端部に接続して架設される桁（自在桁）２と、これら支柱１と桁２で支持される屋根部３とを備えて構成されている。
【００２２】
屋根部３は、建物本体Ｔの外壁Ｔ１に水平に設置される垂木掛け４と、垂木掛け４に後端を接続し、桁２に支持させて外壁Ｔ１から前方に突設されるとともに、外壁Ｔ１に沿う横方向Ｓ２に所定の間隔をあけて並設される複数の垂木５と、垂木５に支持されて屋根面を形成する屋根パネル（屋根部材）６とを備えている。
【００２３】
また、本実施形態の建物外部構築物Ｂは、各垂木５がその先端側を下方に湾曲させて形成されている。これにより、屋根部３は、後端から先端側に向かうに従い漸次下方に向けて直線状に傾斜するフラット傾斜部３ａと、フラット傾斜部３ａから先端に向かうに従い漸次下方に向けて円弧状に傾斜する湾曲部３ｂとを備えて形成されている。
【００２４】
さらに、屋根部３は、図１及び図２に示すように、複数の垂木５の先端に接続して横方向Ｓ２に延設され、例えば屋根部３の先端部を形成して意匠性を確保したり、雨樋などとして機能する前枠１５を備えて構成されている。
【００２５】
そして、この前枠１５は、本実施形態の前枠と垂木の取付構造Ｃによって複数の垂木５の先端に接続して設置されている。
【００２６】
また、本実施形態の前枠と垂木の取付構造Ｃは、図３から図５に示すように、前枠１５を垂木５の先端に仮設置する際に、互いに係合して前枠１５を垂木５に支持させる第１係止部１６と第１係止受部１７からなる仮設置用係合部１８と、前枠１５を所定位置に配設しつつ垂木５の先端に本設置する際に、互いに係合して前枠１５を垂木５に支持させる第２係止部１９と第２係止受部２０からなる本設置用係合部２１とを備えて構成されている。
【００２７】
具体的に、本実施形態の前枠１５は、下方に凸の断面円弧状に形成されるとともに横方向Ｓ２に延設され、横樋として機能する前枠本体部１５ａと、前枠を設置した状態で前枠本体部１５ａから垂木５の下面側に突出し、下方からビス１１で止めて垂木５に固着される固定部１５ｂと、前枠本体部１５ａから突出して屋根パネル６の先端部を保持する保持部１５ｄとを備えて形成されている。
【００２８】
さらに、この前枠１５には、固定部１５ｂの突出方向先端と前枠本体部１５ａの後方側との前後方向Ｓ１の間に、後方に向けて突出するとともに下方に折れ曲がって形成された仮設置用係合部１８の第１係止部１６と、後方に突出するとともに上方に折れ曲がって形成された本設置用係合部２１の第２係止部１９とが設けられている。また、本実施形態では、第１係止部１６と第２係止部１９が前枠本体部１５ａから後方に突出する一つの突出片１５ｃの先端に下方と上方にそれぞれ延出して一体形成されている。
【００２９】
一方、垂木５には、先端側の下面側に、垂木５の延設方向に沿う前方側に突出するとともに上方に折れ曲がって形成された仮設置用係合部１８の第１係止受部１７が設けられ、先端側の上面側に、前方側に突出するとともに下方に折れ曲がる本設置用係合部２１の第２係止受部２０が設けられている。これにより、垂木５の先端側には、先端と第１係止受部１７の間に上側係合溝（上側係合凹部）２３、先端と第２係止受部２０の間に下側係合溝（下側係合凹部）２２がそれぞれ形成されている。
【００３０】
そして、上記構成からなる本実施形態の前枠と垂木の取付構造Ｃによって、長尺の前枠１５を複数の垂木５に取り付ける際には、図３、図４に示すように、前枠１５を持ち上げ、前枠１５の第１係止部１６を各垂木５の下側係合溝２２に上方から挿入し、前枠１５の第１係止部１６と各垂木５の第１係止受部１７を順次係合させる。
【００３１】
このように第１係止部１６と第１係止受部１７を係合させると、垂木５側の第１係止受部１７によって前枠１５側の第１係止部１６が係止される。また、このとき、作業者が前枠１５を放すと、前枠１５（前枠本体部１５ａ及び／又は固定部１５ｂ）が各垂木５の先端側に当接する。
【００３２】
これにより、前枠１５の仮設置用係合部１８の第１係止部１６を各垂木５の仮設置用係合部１８の第１係止受部１７に係合させるだけで、前枠１５が各垂木５の先端側に引っ掛かった状態で支持され、容易に前枠１５が仮設置される。
【００３３】
次に、図５に示すように、前枠１５の固定部１５ｂを垂木５の先端側の下面に下方からビス１１で止めて固着する。例えば、前枠１５を上方に持ち上げ、前枠１５の固定部１５ｂ、垂木５の先端側の下面に貫通形成されたビス孔が連通するように垂木５に対して前枠１５を所定の本設置位置に配設し、これとともに、連通したビス孔に下方からビス１１を打ち込んで前枠１５の固定部１５ｂを垂木５の先端側に固着する。
なお、必ずしも前枠１５の固定部１５ｂと垂木５の先端側にビス孔が設けられていなくてもよく、前枠１５を上方に持ち上げ、垂木５に対して前枠１５を所定の本設置位置に配設するとともに下方からビス１１を打ち込んで前枠１５の固定部１５ｂを垂木５の先端側に固着してもよい。
【００３４】
そして、本実施形態の前枠と垂木の取付構造Ｃでは、前枠１５を持ち上げ、固定部１５ｂを垂木５に固着するとともに、前枠１５の仮設置用係合部１８の第１係止部１６が垂木５の仮設置用係合部１８の第１係止受部１７（下側係合溝２２）から外れ、前枠１５の本設置用係合部２１の第２係止部１９が上側係合溝２３に嵌り、自動的に垂木５の本設置用係合部２１の第２係止受部２０に係合する。
【００３５】
このように前枠１５の固定部１５ｂをビス止めして垂木５に固着するだけで、本設置用係合部２１の第２係止部１９が本設置用係合部２１の第２係止受部２０に係合し、第２係止部１９が第２係止受部２０に係止される。これにより、前枠１５が垂木５に対して前方に転動することが防止され、前枠１５が垂木５に強固に安定した状態で接続して設置される。
【００３６】
したがって、本実施形態の前枠と垂木の取付構造Ｃにおいては、仮設置用係合部１８によって前枠１５を垂木５の先端に係合させて仮設置することができる。そして、この仮設置した前枠１５をビス止めして垂木５に固着し、前枠１５が仮設置位置から本設置位置に移るとともに本設置用係合部２１を係合させることができ、本設置した前枠１５を、垂木５に固着するためのビス１１と本設置用係合部２１で強固に安定した状態で保持することができる。
【００３７】
また、本実施形態の前枠と垂木の取付構造Ｃにおいては、仮設置用係合部１８の第１係止受部１７に第１係止部１６を引っ掛けるだけで前枠１５を垂木５の先端に仮設置することができ、１人の作業者によって長尺の前枠１５を設置する場合であっても、容易に前枠１５を垂木５に仮設置することができる。
【００３８】
そして、仮設置した前枠１５を各垂木５にビス止めして固定するとともに、本設置用係合部２１の第２係止受部２０に第２係止部１９を係合させることができる。これにより、前枠１５を所定の設置位置に位置決めしつつ垂木５に強固に接続して設置することができ、１人の作業者であっても容易に且つ確実に前枠１５を垂木５に本設置することが可能になる。
【００３９】
よって、本実施形態の前枠と垂木の取付構造Ｃによれば、仮設置用係合部１８と本設置用係合部２１を前枠１５と垂木５に予め形成し、従来のように固定金具１０を用いずに前枠１５を垂木５の先端に仮設置、本設置して接続することができる。これにより、従来と比較し、固定金具１０を不要に、ビス１１、１２、１３を少なくし、部品点数や部品付けによる施工工数を減らすことができ、前枠と垂木の取付構造Ｃを備える建物外部構築物Ｂの施工性、経済性の向上を図ることが可能になる。
【００４０】
以上、本発明に係る前枠と垂木の取付構造の一実施形態について説明したが、本発明は上記の一実施形態に限定されるものではなく、その趣旨を逸脱しない範囲で適宜変更可能である。
【００４１】
例えば、本実施形態では、前枠と垂木の取付構造Ｃを備える屋根部３がその先端部側を湾曲させて形成されているものとしたが、図６に示すようなフラットタイプの屋根部３に本発明の前枠と垂木の取付構造Ｃを適用しても勿論構わない。
【００４２】
さらに、本実施形態では、建物本体Ｔの外壁Ｔ１に設置した垂木掛け５を備えて屋根部３が構成されているものとしたが、本発明に係る前枠と垂木の取付構造Ｃを備える屋根部３は必ずしも垂木掛け５を備えて構成されている必要はない。
【００４３】
また、本実施形態では、前枠と垂木の取付構造Ｃを備える建物外部構築物Ｂがオープンテラスであるものとして説明を行ったが、本発明は、勿論、サンルームやテラス、バルコニーなどのガーデンルームタイプの建物外部構築物や、カーポート、自転車置き場、物置、通路等の他のサイドスルータイプの建物外部構築物にも適用可能である。
【００４４】
さらに、本実施形態では、垂木５に第１係止受部１７、第２係止受部２０が設けられ、前枠１５の第１係止部１６、第２係止部１９が嵌め込まれる上側係合溝２３と下側係合溝２２が形成されているものとしたが、前枠１５に係合受部を設けて上方と下方の係合溝を形成し、垂木５に設けた係合部をこれら係合溝に嵌め込んで前枠１５を垂木５に接続するようにしてもよい。
【００４５】
この場合には、前枠１５の上側係合溝に垂木５の第１係止部を嵌め込んで前枠１５の第１係止受部に係止させることで、前枠１５を垂木５の先端に引っ掛けて仮設置することができる。また、前枠１５を持ち上げつつ固定部１５ｂを垂木５にビス止めすると、前枠１５の下側係合溝に垂木５の第２係止部が嵌り、前枠１５の第２係止受部に垂木５の第２係止部を係合させることができる。これにより、本実施形態同様の作用効果を得ることができる。
【００４６】
また、本実施形態では、前枠１５を持ち上げつつ固定部１５ｂを固着するとともに、仮設置用係合部１８の第１係止部１６が下側係合溝２２から外れ、本設置用係合部２１の第２係止受部２０に第２係止部１９が係合するものとして説明を行った。
これに対し、前枠１５の固定部１５ｂを垂木５に固着し、本設置用係合部２１の第２係止受部２０に第２係止部１９が係合した状態で仮設置用係合部１８の第１係止部１６が下側係合溝２２から外れず、仮設置用係合部１８の第１係止受部１７に第１係止部１６が係合した状態で残るように構成してもよい（図９参照）。
【００４７】
この場合には、前枠１５を所定の本設置位置に配して垂木５に取り付けた状態で、本設置用係合部２１だけでなく、仮設置用係合部１８でも前枠１５が前方に転動することを防止できる。このため、より強固に安定した状態で前枠１５を垂木５に接続して設置することが可能になる。
【００４８】
また、例えば、図７に示すように仮設置用係合部１８の第１係止部１６を第１係止受部１７に係合させて前枠１５を仮設置した後に、図８に示すように分割形成された部材である本設置用係合部２１の第２係止受部２０をビス２４で垂木５に止めるなどして取り付け、この第２係止受部２０で第２係止部１９を係止するように構成してもよい。
この場合には、従来の固定金具１０と同様に本設置用係合部２１の第２係止受部２０をビス２４で垂木に取り付ける必要が生じるが、第２係止部１９を係止して前枠１５を垂木５で支持する構成であるため、前枠１５の固定部１５ｂを垂木５にビス１１で固定するとともに固定金具１０に前枠７をビス１２で固定する必要がある従来と比較し、やはり本実施形態と同様、ビス１１、２４の点数を減らすことができる。
【００４９】
また、本発明に係る前枠と垂木の取付構造Ｃは、例えば図１０に示すように、前枠１５が桁と一体化して構成されている場合においても、本実施形態と同様にして適用可能であり、この場合においても本実施形態と同様の作用効果を得ることが可能である。
【００５０】
ここで、本発明に係る前枠と垂木の取付構造Ｃは、「図４に示すように、前枠１５を垂木５の先端に仮設置した状態で係合する仮設置用係合部１８が支点Ｐ１、前枠１５の自重の作用位置（重心など）や雨が前枠本体部１５ａに入り込んだ際の外力作用位置などの支点Ｐ１よりも前方の前枠位置が力点Ｐ２、仮設置用係合部１８と異なる位置で前枠１５と垂木５が当接する当接部が作用点Ｐ３となり、図５に示すように、前枠１５を垂木５の先端に本設置した状態で、垂木５に前枠１５の固定部１５ｂを固着した位置が支点Ｐ１、前枠１５の自重の作用位置や雨が前枠本体部１５ａに入り込んだ際の外力作用位置などの支点Ｐ１よりも前方の前枠位置が力点Ｐ２、本設置用係合部２１が作用点Ｐ３となるように構成されている」と表すこともできる。
さらに言い換えると、本発明に係る前枠と垂木の取付構造Ｃは、「前枠１５を垂木５の先端に係合させる係合部１８、２１を備え、該係合部１８、２１が、前枠１５を垂木５の先端に仮設置した状態で支点Ｐ１となり、前枠１５を垂木５の先端にビス止め（固着）して本設置するとともに作用点Ｐ３となるように構成されている」と表すこともできる。
【符号の説明】
【００５１】
１      支柱
２      桁（自在桁）
３      屋根部
３ａ    フラット傾斜部
３ｂ    湾曲部
４      垂木掛け
５      垂木
５ａ    妻垂木
５ｂ    妻垂木
６      屋根パネル
７      従来の前枠
８      仮設置用係止部
９      本設置用係止部
１０    固定金具
１１    ビス
１２    ビス
１３    ビス
１５    前枠
１５ａ  前枠本体部
１５ｂ  固定部
１５ｃ  突出片
１５ｄ  保持部
１６    第１係止部
１７    第１係止受部
１８    仮設置用係合部（係合部）
１９    第２係止部
２０    第２係止受部
２１    本設置用係合部（係合部）
２２    下側係合溝（下側係合凹部）
２３    上側係合溝（上側係合凹部）
２４    ビス
Ａ      従来の前枠と垂木の取付構造を備えた建物外部構築物
Ｂ      建物外部構築物
Ｃ      前枠と垂木の取付構造
Ｐ１    支点
Ｐ２    力点
Ｐ３    作用点
Ｓ１    前後方向
Ｓ２    横方向
Ｔ      建物本体
Ｔ１    外壁
【図１】
2018135753.tif 000003
【図２】
2018135753.tif 000004
【図３】
2018135753.tif 000005
【図４】
2018135753.tif 000006
【図５】
2018135753.tif 000007
【図６】
2018135753.tif 000008
【図７】
2018135753.tif 000009
【図８】
2018135753.tif 000010
【図９】
2018135753.tif 000011
【図１０】
2018135753.tif 000012
【図１１】
2018135753.tif 000013